(57)【要約】  【課題】不特定多数の部外者の閲覧に供する書類等の用紙類を綴じるファイルにおいて、用紙類を閲覧者がファイルから取り外すことを困難にする。  【解決手段】ファイル本体１と、このファイル本体１に設けた綴じ具２とを具備し、手動操作部２４に加えられる操作力を利用して前記綴じ具２が綴込状態から用紙類を挿脱可能な開放状態に移行し得るように構成されたファイルＦ１において、前記手動操作部２５を着脱可能にする。  【選択図】図４
2007007913.tif 000002
【特許請求の範囲】
【請求項１】
ファイル本体と、このファイル本体に設けた綴じ具とを具備し、手動操作部に加えられる操作力を利用して前記綴じ具が綴込状態から用紙類を挿脱可能な開放状態に移行し得るように構成されたファイルであって、前記手動操作部、ないし前記手動操作部が操作を受けた際に作動する部品を着脱可能にしていることを特徴とするファイル。
【請求項２】
前記綴じ具が、綴じ具本体と、綴じ具本体に着脱可能に取り付けられる手動操作部と、綴じ具本体と手動操作部とを接続する接続部とを具備することを特徴とする請求項１記載のファイル。
【請求項３】
綴じ具本体に着脱可能な手動操作部を装着した状態で該手動操作部に加えられる操作力を利用して綴込状態から用紙類を挿脱可能な開放状態に移行し得るように構成している綴じ具であって、手動操作部を綴じ具本体に着脱可能に装着するための装着部を具備することを特徴とする綴じ具。
【請求項４】
手動操作部を備え、その手動操作部に加えられる操作力を利用して綴込状態から用紙類を挿脱可能な開放状態に移行し得るように構成され、綴じ具本体と、綴じ具本体に着脱可能に取り付けられる手動操作部と、綴じ具本体と手動操作部とを接続する接続部とを具備することを特徴とする綴じ具。
【請求項５】
手動操作部を備え、その手動操作部に加えられる操作力を利用して綴込状態から用紙類を挿脱可能な開放状態に移行し得るように構成され、前記手動操作部が操作を受けた際に作動する部品を着脱可能に装着するための装着部を具備することを特徴とする綴じ具。
【請求項６】
綴じ具に着脱可能に装着して用いられ、綴じ具の構成部材に装着される被装着部と、綴込状態から用紙類を挿脱可能な開放状態に移行させる際に利用される操作力を受け付ける操作部とを具備することを特徴とする手動操作部材。
【発明の詳細な説明】
【技術分野】
【０００１】
本発明は、オフィスなどに好適に利用されるファイル、このようなファイルに用いられる綴じ具、及びこのような綴じ具に対する操作を受け付ける手動操作部材に関する。
【背景技術】
【０００２】
企業や官公庁等において、用紙類に印刷した各種情報を不特定多数の部外者に公開する場合、冊子でなくファイルに綴じた状態で閲覧できるようにすることがある。
【０００３】
このような用途に供するファイルとして、ファイル本体と、このファイル本体に設けた綴じ具とを具備し、手動操作部に加えられる操作力を利用して前記綴じ具が綴込状態から用紙類を挿脱可能な開放状態に移行し得るように構成されたものが考えられている。（例えば、特許文献１を参照。）
【特許文献１】特許第２６１６３３２号公報
【発明の開示】
【発明が解決しようとする課題】
【０００４】
ところで、特許文献１記載の構成では、前記各種情報を閲覧する者である閲覧者が手動操作部に操作を加えると、ファイルが用紙類を挿脱可能な開放状態に移行する。すなわち、各種情報を印刷した用紙類を閲覧者が容易に取り外すことができる。しかして、このような用紙類を閲覧者がファイルから取り外すことができる構成を採用すると、機密保持その他の点で不都合な場合がある。
【０００５】
本発明は、このような課題を解決すべく、用紙類を閲覧者がファイルから取り外すことを困難にすべく構成するものである。
【課題を解決するための手段】
【０００６】
すなわち本発明に係るファイルは、ファイル本体と、このファイル本体に設けた綴じ具とを具備し、手動操作部に加えられる操作力を利用して前記綴じ具が綴込状態から用紙類を挿脱可能な開放状態に移行し得るように構成されたファイルであって、前記手動操作部、ないし前記手動操作部が操作を受けた際に作動する部品を着脱可能にしていることを特徴とする。
【０００７】
このようなものであれば、不特定多数の部外者の閲覧に供する際には、前記手動操作部、ないし前記手動操作部が操作を受けた際に作動する部品を取り外すことにより、閲覧者による手動操作部に対する操作自体を不可能ないし非常に困難にすること、又は手動操作部に操作力を加えても前記綴じ具が綴込状態から用紙類を挿脱可能な開放状態に移行しないようにすることができる。
【０００８】
このようなファイルを容易に実現するための態様として、前記綴じ具が、綴じ具本体と、綴じ具本体に着脱可能に取り付けられる手動操作部と、綴じ具本体と手動操作部とを接続する接続部とを具備するものが挙げられる。
【０００９】
また、上述したようなファイルを実現するための綴じ具の構成として、綴じ具本体に着脱可能な手動操作部を装着した状態で該手動操作部に加えられる操作力を利用して綴込状態から用紙類を挿脱可能な開放状態に移行し得るように構成している綴じ具であって、手動操作部を綴じ具本体に着脱可能に装着するための装着部を具備するものが挙げられる。
【００１０】
このようなものであれば、用紙類を挿脱する場合にのみ前記装着部を介して前記手動操作部を装着し、一般の閲覧に供する場合には前記手動操作部を取り外しておくことにより一般閲覧者が用紙類を取り外すことを困難にすることができる。
【００１１】
また、上述したようなファイルは、手動操作部を備え、その手動操作部に加えられる操作力を利用して綴込状態から用紙類を挿脱可能な開放状態に移行し得るように構成され、綴じ具本体と、綴じ具本体に着脱可能に取り付けられる手動操作部と、綴じ具本体と手動操作部とを接続する接続部とを具備するを具備することを特徴とする綴じ具によっても容易に実現できる。このような綴じ具であれば、用紙類を挿脱する場合にのみ手動操作部を綴じ具本体に前記接続部を介して取り付け、一般の閲覧に供する場合には前記手動操作部を綴じ具本体から取り外しておくことにより一般閲覧者が用紙類を取り外すことを困難にすることができるからである。
【００１２】
さらに、上述したようなファイルは、手動操作部を備え、その手動操作部に加えられる操作力を利用して綴込状態から用紙類を挿脱可能な開放状態に移行し得るように構成され、前記手動操作部が操作を受けた際に作動する部品を着脱可能に装着するための装着部を具備することを特徴とする綴じ具によっても容易に実現できる。このような綴じ具であれば、用紙類を挿脱する場合にのみ前記装着部を介して前記手動操作部が操作を受けた際に作動する部品を装着し、一般の閲覧に供する場合には前記手動操作部が操作を受けた際に作動する部品を取り外しておくことにより一般閲覧者が用紙類を取り外すことを困難にすることができるからである。
【００１３】
そして、以上に述べたようなファイル及び綴じ具を好適に実現できる手動操作部材として、綴じ具に着脱可能に装着して用いられ、綴じ具の構成部材に装着される被装着部と、綴込状態から用紙類を挿脱可能な開放状態に移行させる際に利用される操作力を受け付ける操作部とを具備することを特徴とするものが挙げられる。
【発明の効果】
【００１４】
本発明に係るファイル、綴じ具、又は手動操作部材を採用すれば、一般の閲覧に供する際には、前記手動操作部、ないし前記手動操作部が操作を受けた際に作動する部品を取り外すことにより、閲覧者による手動操作部に対する操作自体を不可能ないし非常に困難にすること、又は手動操作部に操作力を加えても前記綴じ具が綴込状態から用紙類を挿脱可能な開放状態に移行しないようにすることができる。
【発明を実施するための最良の形態】
【００１５】
以下に、本発明の第一実施形態について述べる。
【００１６】
この実施形態に係るファイルＦ１は、図１に斜視図を示すように、ファイル本体１と、このファイル本体１に設けた綴じ具２とを具備する。
【００１７】
前記ファイル本体１は、前記図１に示すように、標準規格紙であるＡ４判の用紙よりも一回り大きい縦寸法及び横寸法を有する概略矩形状をなす表表紙１２と、この表表紙１２と同形状の裏表紙１３と、これら表表紙１２及び裏表紙１３と同一の縦寸法及び予め定められた収容対象物たる用紙の最大収容枚数に応じて設定された幅寸法を有する背表紙１１とを一体に有している。表表紙１２の基端と背表紙１１の側端との間と、裏表紙１３の基端と背表紙１１の側端との間には、それぞれヒンジ部１５、１５を各表紙部１１、１２、１３の縦方向に沿って相互に平行をなすように形成しており、このヒンジ部１５、１５のヒンジ機能によって、表表紙１２及び裏表紙１３を相互に離接させて開閉可能としている。また、このファイル本体１の表表紙１２には舌片１４１を有する開口１４を形成している。
【００１８】
綴じ具２は、前記図１、この綴じ具２の全体斜視図である図２、及びこの綴じ具２の側面図である図３に示すように、紙葉類を綴じ込む環状体を構成するものであり、対をなすリング片２１、２２、及びこれら両リング片２１、２２の先端部の間を開閉可能とする開閉機構２３を具備する綴じ具本体２０と、操作力を受け付ける手動操作部２４と、これら綴じ具本体２０と手動操作部２４とを接続する接続部たる接続部材２５とを具備する。そして、本実施形態では、リング片２１、２２を二対設けている。
【００１９】
対をなすリング片２１、２２は、閉じた状態で綴じ具２の取付面たる裏表紙１２の内向面より略垂直に立ち上がる平面視略Ｕ字形状をなし、環状体の主要な構成要素となる。また、一対のリング片２１、２２は、それぞれ別個の基板２３１、２３２より突出している。互いに別体をなす一対の基板２３１、２３２は、相対的に回転可能であるように背表紙１１寄りの側縁部で結合している。これら一対の基板２３１、２３２を主体として、両リング片２１、２２を開閉駆動する開閉機構２３を構築してある。
【００２０】
前記図２等に示すように、リング片の一方である第１のリング片２１は、基端を一方の基板２３１に固定した立柱部２１１と、立柱部２１１の先端より伸び出るアーチ部２１２とを具備する。立柱部２１１は、概ね円柱状をなし、両リング片２１、２２の間を閉じた状態で裏表紙１３の内向面に対して略垂直に（厳密には、平面視背表紙１１寄りに若干傾いて）延伸する。アーチ部２１２は、その断面形状が円形をなす、湾曲した弓形の部材である。
【００２１】
リング片の他方である第２のリング片２２は、基端を他方の基板２３２に固定した立柱部２２１を具備する。立柱部２２１は、概ね円柱状をなし、両リング片２１、２２の間を閉じた状態で裏表紙１３の内向面に対して略垂直に直線状に延伸する。第２のリング片２２の立柱部２２１は、第１のリング片２１の立柱部２２１の側方、反背表紙１１側に位置する。通常、紙葉類を該ファイルに綴じ込む際には、対象となる紙葉類に第２のリング片２２の立柱部２２１を挿して通し、しかる後に両リング片２１、２２の間を閉じるようにする。
【００２２】
さらに、ファイル本体１を閉じた状態において、このファイル本体１が不用意に開かないようにすべく、前記第１のリング片２１のアーチ部２１２と、前記開口１４の舌片１４１とを係合可能にしている。
【００２３】
前記開閉機構２３は、一方の基板２３１がその側縁部を中心に回転して他方の基板２３２より離間すると両リング片２１、２２の先端部の間が開かれ、一方の基板２３１が逆に回転して他方の基板２３２と重なり合うと両リング片２１、２２の先端部の間が閉じられるように構成している。また、ばね等の付勢手段（図示しない）により、一方の基板２３１と他方の基板２３２とが離間する方向にプリロードを加えてある。基板２３１の回転操作は、例えば、操作レバー２３３を上げ下げすることを通じて行われる。さらに詳述すると、前記操作レバー２３３は、前記他方の基板２３２から起立して設けた起立板２３２ａに枢着している基端部２３３１と、この基端部２３３１から一方の基板２３１に向けて垂下して設けられる垂下部２３３２と、この垂下部２３３２から背表紙１１側に突出して設けられ前記一方の基板２３１を前記裏表紙１３及び前記他方の基板２３２に向けて押圧可能な押圧部２３３３と、前記垂下部２３３２の先端からこのファイルＦ１の高さ方向に沿って延伸する棒状部２３３４とを具備する。
【００２４】
一方、前記手動操作部２４は、操作力を直接受け付けるつまみ部２４１と、このつまみ部から連接され、前記接続部材に取付可能な被取付部２４２とを有する。
【００２５】
しかして本実施形態では、この綴じ具２の分解斜視図を図４に示すように、前記手動操作部２４を綴じ具本体２０、より具体的には前記操作レバー２３３に対して着脱可能にしている。
【００２６】
さらに詳述すると、前記接続部材２５は、ナットを利用して形成している。また、前記手動操作部２４の前記被取付部２４２の先端には、この接続部材２５を形成するナットに螺合可能な雄ネジ部２４２ａを形成している。さらに、前記接続レバー２３３の棒状部２３３４の先端にも、この接続部材２５を形成するナットに螺合可能な雄ネジを利用して装着部たる取付部２３３５を形成している。すなわち、前記接続部材２５に前記被取付部２４２の雄ネジ部２４２ａ及び前記レバー本体２３３の取付部２３３５を螺着するようにして、この接続部材２５を介して前記手動操作部２４を綴じ具本体２０に着脱可能に取り付けることを可能にしているとともに、前記手動操作部２４を綴じ具本体２０に取り付けた際には、前記手動操作部２４が受け付けた操作力が前記操作レバー２３３に伝えられるようにしている。
【００２７】
そして、用紙類を挿脱する場合には、前記装着部である取付部２３３５を介して前記手動操作部２４を装着し、この手動操作部２４を引き上げて綴じ具２を開放状態にし、用紙類の挿脱が終わり次第前記手動操作部２４を押し下げるかまたは第１、第２のリング片２１、２２を相寄る方向に引き寄せる操作を加えることにより綴じ具２を綴込状態にするようにしている。そして、不特定多数の外部者への閲覧に供する場合には、閲覧者が綴じ具２を開放状態にする操作を略不可能なようにすべく、綴じ具２を綴込状態にしておいた上で前記手動操作部２４を取り外しておき、側面図を図５に示すような状態にするようにしている。
【００２８】
このように、本実施形態に係るファイルＦ１に係る綴じ具２では、手動操作部２４を綴じ具本体２０に対して着脱可能にしているので、用紙類の挿脱を行う際にのみ手動操作部２４を取り付け、その他の場合、特に不特定多数の部外者の閲覧に供する際には手動操作部２４を取り外すようにすることにより、外部閲覧者が用紙類の挿脱をすべく綴じ具２を開放状態にする操作を非常に困難にすることができる。すなわち、外部閲覧者が用紙類の挿脱をすることを非常に困難にすることができる。
【００２９】
さらに、綴じ具本体２０が、手動操作部２４を着脱可能に装着するための装着部たる取付部２３３５を具備し、前記手動操作部２４を装着した状態で該手動操作部２４に加えられる操作力を利用して綴込状態から用紙類を挿脱可能な開放状態に移行し得るように構成しているので、用紙類を挿脱する場合にのみ前記取付部２３３５を介して前記手動操作部２４を装着する態様を容易に実現できる。
【００３０】
加えて、前記綴じ具２が、綴じ具本体２０と、綴じ具本体２０に着脱可能に取り付けられる手動操作部２４と、綴じ具本体２０と手動操作部２４とを接続する接続部材２５とを具備するので、前記接続部材２５を介して手動操作部２４を綴じ具本体２０に容易に取り付けることができる。もちろん、別々に供給した前記綴じ具本体２０、前記手動操作部２４、及び前記接続部材２５を用意し、綴じ具本体２０に接続部材２５を介して手動操作部２４を取り付けるようにしてもよい。
【００３１】
次に、本発明の第二実施形態を、図面を参照して説明する。
【００３２】
この実施形態に係るファイルＦ２は、図６及び図７に斜視図を示すように、ファイル本体１と、このファイル本体１に設けた綴じ具３とを具備し、いわゆるＡ４判３０穴ファイルとして周知のものとほぼ同様の構成を有する。ここで、図６には前記綴じ具２が綴込状態にある場合、図７には前記綴じ具２が用紙類を挿脱可能な開放状態にある場合の斜視図をそれぞれ示している。
【００３３】
前記ファイル本体１は、上述した第一実施形態に係るファイル本体とほぼ同様の構成を有する。すなわち、前記図６及び図７に示すように、標準規格紙であるＡ４判の用紙よりも一回り大きい縦寸法及び横寸法を有する概略矩形状をなす表表紙部１２と、この表表紙１２と同形状の裏表紙１３と、これら表表紙１２及び裏表紙１３と同一の縦寸法及び予め定められた収容対象物たる用紙の最大収容枚数に応じて設定された幅寸法を有する背表紙１１とを一体に有している。そして、これも同様に、表表紙１２の基端と背表紙１１の側端との間と、裏表紙１３の基端と背表紙１１の側端との間には、それぞれヒンジ部１５、１５を各表紙部１１、１２、１３の縦方向に沿って相互に平行をなすように形成しており、このヒンジ部１５、１５のヒンジ機能によって、表表紙１２及び裏表紙１３を相互に離接させて開閉可能としている。
【００３４】
前記綴じ具３は、前記背表紙１１の内面に設けている。具体的には、前記図６、図７、長手方向端部の底面側からの斜視図である図８、長手方向端部の側面図である図９、長手方向端部の平面図である図１０、及び要部の中央正断面図である図１１に示すように、前記背表紙１１に取り付けられるカバー体３２、このカバー体３２内に収納した一対の作動板３３Ａ、３３Ｂ、及びこれら各作動板３３Ａ、３３Ｂに基端部を固定して設けた綴じリング部３４Ａ、３４Ｂを備えた綴じ具本体３１と、この綴じ具本体３１の端部に設けられ操作力を受け付ける手動操作部３５とを具備する。また、この綴じ具３は、前記手動操作部３５に加えられる操作力を利用して綴込状態から開放状態に移行し得るように構成している。なお、前記図９においては、前記カバー体３２及び前記手動操作部３５の一部を破断して示している。また、前記図１０においては、前記カバー体３２を想像線により示している。
【００３５】
さらに詳述すると、カバー体３２は、中央部を背表紙１１から離れる方向に湾曲させた長尺鞘状のもので、弾性に富んだ金属板により形成しているとともに、その両側縁には、内側へ屈曲する受リブ３２１を形成している。さらに、前記受リブ３２１の長手方向両端部を切り起こして、操作部受突起３２２を形成している。この操作部受突起３２２は、後述するように手動操作部３５の係合孔３５２ｘと係合するようにしているとともに、弾性変形により突没可能に構成している。
【００３６】
作動板３３Ａ、３３Ｂは、長尺な平板状のもので、比較的剛性の高い金属板により形成している。また、これら作動板３３Ａ、３３Ｂの内縁３３１同士を山折り及び谷折り可能に突き合わせているとともに、外縁３３２を前記受リブ３２１に傾動可能に支持させて、前記カバー体２内に収容している。
【００３７】
一対の綴じリング部３４Ａ、３４Ｂは、それぞれ半円弧状をなすもので、閉成することによってリング状をなすように成形している。各綴じリング部３４Ａ、３４Ｂの基端３４１は前記各作動板３３Ａ、３３Ｂの上面にそれぞれかしめ加工等により固着していて、先端側はカバー体３２に設けた透窓３２２を通してカバー体３２外に延出させてある。この実施例は３０穴用のものであるため、３０対の綴じリング部３４Ａ、３４Ｂを作動板３３Ａ、３３Ｂの長手方向に分散して設けている。
【００３８】
しかして本実施形態では、前記手動操作部３５を綴じ具本体３１に対して着脱可能にしている。すなわち、綴込状態にある綴じ具３を、綴じ具本体３１から手動操作部３５を取り外した側面図を図１２に示すような常時綴込状態にしておくことができる。
【００３９】
具体的には、前記手動操作部３５は、前記作動板３３Ａ、３３Ｂに当接した状態で操作力を受け付け前記作動板３３Ａ、３３Ｂを押圧可能な操作部本体３５１と、この操作部本体３５１を前記綴じ具本体３１に取り付ける取付部３５２とを有する。
【００４０】
さらに詳述すると、前記操作部本体３５１は、この手動操作部３５が前記綴じ具本体３１に取り付けられた状態において略起立する板状のつまみ部３５１ａと、このつまみ部３５１ａの基端部の幅方向両端に設けられる支持軸３５１ｂと、このつまみ部３５１ａから前記背表紙１１側に向かい延伸して設けているとともに前記作動板３３Ａ、３３Ｂに上方から当接する第１の当接部３５１ｃと、この第１の当接部３５１ｃからさらに背表紙１１側に向かい延伸して設けているとともに前記作動板３３Ａ、３３Ｂに下方から当接する第２の当接部３５１ｄと、これら第１の当接部３５１ｃと前記第２の当接部３５１ｄとの間に位置し、前記作動板３３Ａ、３３Ｂの長手方向両端部に形成した切り込み３３ｘを通過する挿通部３５１ｅとを備えている。
【００４１】
一方、前記取付部３５２は、全体を弾性を有する金属素材により形成しているとともに、前記カバー体３２に外嵌可能な外嵌部３５２ａと、前記カバー体３２の長手方向両端面を被覆する被覆部３５２ｂとを有する。さらに、前記外嵌部３５２ａには、前記カバー体３２に形成した操作部受突起３２２と係合可能な係合孔３５２ｘを具備する。一方、前記被覆部３５２ｂの上部には、前記操作部本体３５１の支持軸３５１ｂを枢支する支持軸受け３５２ｙを形成している。
【００４２】
そして、用紙類を挿脱する場合には、前記装着部である操作部受突起３２２と前記係合孔３５２ｘとを係合させて前記手動操作部３５を綴じ具本体３１に装着した状態で、この手動装着部３５を外方に押圧し、操作力を前記第２の当接部３５１ｄを介して前記作動板３３Ａ、３３Ｂに伝えて前記作動板３３Ａ、３３Ｂを山折り状態にすることにより前記綴じ具３を開放状態にするようにしている。また、用紙類の挿脱が終わり次第、前記手動装着部３５を内方に押圧し、操作力を前記第１の当接部３５１ｃを介して前記作動板３３Ａ、３３Ｂに伝えて前記作動板３３Ａ、３３Ｂを谷折り状態にするか、または綴じリング部３４Ａ、３４Ｂ同士を相寄る方向に引き寄せる操作を加えて操作力をこれら綴じリング部３４Ａ、３４Ｂを介して前記作動板３３Ａ、３３Ｂに伝え、前記作動板３３Ａ、３３Ｂを谷折り状態にすることにより、綴じ具３を綴込状態にするようにしている。そして、不特定多数の外部者の閲覧に供する場合には、閲覧者が綴じ具３を開放状態にする操作を非常に困難にすべく、綴じ具３を綴込状態にしておいた上で、まず操作部受突起３２２を弾性変形により没入させて係合孔３５２ｘとの係合状態を解除し、それから前記手動操作部３５をカバー部３２から引き抜くことにより、前記手動操作部３５を綴じ具本体３１から取り外しておくようにしている。そして、再び用紙類を挿脱する場合には、まず操作部受突起３２２を弾性変形により没入させ、それから前記手動操作部３５の外嵌部３５２ａをカバー部３２に面的に当接させ、そして前記操作部受突起３２２と前記係合孔３５２ｘとを係合させて前記手動操作部３５を綴じ具本体３１に取り付けた状態にしておいて、前記手動操作部３５に対して再び外方に押圧する動作を加えて綴じ具３を開放状態にするようにしている。
【００４３】
このように、本実施形態に係るファイルＦ２においても、手動操作部３５を綴じ具本体３１に対して着脱可能にしているので、用紙類の挿脱を行う際にのみ手動操作部３５を綴じ具本体３１に装着し、その他の場合、特に一般の閲覧に供する際には手動操作部３５を綴じ具本体３１から取り外すようにすることにより、一般の閲覧に供する際には、外部閲覧者が綴じ具３を開放状態にする操作を略不可能にできるので、外部閲覧者による用紙類の挿脱をきわめて困難にすることができる。
【００４４】
なお、本発明は上述した実施の形態に限られない。
【００４５】
例えば、ベース、可動側綴じ部材、固定側綴じ部材、及び可動側綴じ部材を駆動するスライダ本体を有する綴じ具本体と、前記スライダ本体の端部に設けられる手動操作部たるつまみとを有し、つまみを外方にスライドさせて可動側綴じ部材を固定側綴じ部材から離間させ、綴込状態から開放状態に移行しうるようにしている綴じ具を有するファイルにおいて、このつまみを綴じ具本体、より具体的にはスライダ本体に対して着脱可能に構成してもよい。
【００４６】
さらに、手動操作部と上述した第二実施形態における作動板３３Ａ、３３Ｂないし第一実施形態における基板２３１、２３２に相当する部材である綴じ片支持部材との間に動作伝達部材を設けるとともに、手動操作部に加えられる操作力を動作伝達部材を介して綴じ片支持部材に伝達し綴込状態から開放状態に移行しうるようにしているファイルにおいて、前記動作伝達部材と綴じ片支持部材との間にさらに装着部を設け、前記動作伝達部材を前記装着部を介して着脱可能に構成してもよい。
【００４７】
また、前記第一実施形態における接続部材２５を用いる態様に替えて、図１３に要部の分解斜視図を示すような接続部材２９を用いる態様を採用してもよい。この態様では、操作レバー２３の先端部を平板状の装着部２３ｙとして形成し、この装着部２３ｙに取付孔２３ｚを設けるとともに、手動操作部２４の基端部を平板状の被装着部２４ｙとし、この被装着部に前記取付孔２３ｚと係合可能な取付突起２４ｚを設け、さらに前記接続突起２４ｚに中空部２４ｚ１を設け、前記接続部材２９の内面に、前記中空部２４ｚ１と係合可能な第１取付突起２９１及び前記取付孔２３ｚと係合可能な第２取付突起２９２を形成している。また、この接続部材２９は、前記第１取付突起２９１を有する第１半割部２９Ａと前記第２取付突起２９２を有する第２半割部２９Ｂとをヒンジ部２９３によって接続しているとともに、前記第１半割部２９Ａ及び前記第２半割部２９Ｂの先端部にそれぞれ係合部２９Ａ１、２９Ｂ１を形成していて、前記係合部２９Ａ１、２９Ｂ１同士を係合させて操作レバー２３の先端部及び手動操作部２４の基端部を被覆した状態で操作レバー２３及び手動操作部２４に取り付けられ、これら操作レバー２３及び手動操作部２４が一体に作動するようにしている。そして、用紙類を挿脱する場合には、前記接続突起２４ｚと取付孔２３ｚとを係合させた状態で、前記中空部２４ｚ１と第１取付突起２９１とを係合させ、ヒンジ部２９３の回りに第２半割部２９Ｂを回動させて前記取付孔２３ｚと前記第２取付突起２９２とを係合させて接続部材２９と取り付け、操作レバー２３と手動操作部２４とを接続して手動操作部２４による操作を可能にするとともに、一般の閲覧に供する場合には、この逆の操作を行った後、手動操作部２４を綴じ具本体２０から取り外して手動操作部２４による操作を略不可能にできるようにしている。すなわち、この態様を採用しても、手動操作部２４を取り外すようにすることにより、不特定多数の外部者の閲覧に供する際に、外部閲覧者が用紙類の挿脱をすべく綴じ具２を開放状態にする操作を非常に困難にすることができる。すなわち、外部閲覧者が用紙類の挿脱をすることを非常に困難にすることができる。
【００４８】
加えて、手動操作部に加えられる操作力を利用して綴込状態から用紙類を挿脱可能な開放状態に移行し得るように構成された綴じ具、及びこのような綴じ具を具備するファイルであれば、どのような構成の綴じ具及びファイルであっても、手動操作部を綴じ具本体に対して着脱可能に構成すれば上述したような効果は全て得られる。
【００４９】
さらに、手動操作部が操作を受けた際に作動する部品である作動部品を綴じ具本体、具体的には綴じ具の残りの部分に対して着脱可能にするとともに、作動部品を綴じ具本体に装着するための装着部を綴じ具本体に設ける態様も考えられる。このような構成として、例えば、上述した実施形態におけるリング片や綴じリング部に代表される紙葉類を実際に綴じ込む部材である綴じ部材と手動操作部とを作動部品であるリンクメンバ及び該リンクメンバを接続する接続具を具備するリンク機構により接続したものにおいて、少なくとも１つのリンクメンバないし接続部を着脱可能に構成しているものが挙げられる。このような態様であっても、不特定多数の外部者の閲覧に供する際に、紙葉類を綴じ込んだ状態で作動部品、例えば前述したリンクメンバないし接続部を綴じ具から取り外すことにより、外部閲覧者が用紙類の挿脱をすべく手動操作部に操作力を加えても、綴じ具が開放状態にならないようにすることができる。すなわち、このような態様を採用しても、外部閲覧者が用紙類の挿脱をすることを非常に困難にすることができる。
【００５０】
その他、本発明の趣旨を逸脱しない範囲で種々変形が可能である。
【図面の簡単な説明】
【００５１】
【図１】本発明の第一実施形態に係るファイルの綴じ具を綴込状態にした際のファイルの全体斜視図。
【図２】同実施形態に係るファイルの綴じ具を示す全体斜視図。
【図３】同実施形態に係るファイルの綴じ具を示す側面図。
【図４】同実施形態に係るファイルの綴じ具を示す分解斜視図。
【図５】同実施形態に係るファイルの手動操作部を取り外した綴じ具を示す側面図。
【図６】本発明の第二実施形態に係るファイルの綴じ具を綴込状態にした際のファイルの全体斜視図。
【図７】同実施形態に係るファイルの綴じ具を開放状態にした際のファイルの全体斜視図。
【図８】同実施形態に係るファイルの綴じ具の底面側からの斜視図である。
【図９】同実施形態に係るファイルの要部の側面図。
【図１０】同実施形態に係るファイルの要部の平面図。
【図１１】同実施形態に係るファイルの中央正断面図。
【図１２】同実施形態に係るファイルの手動操作部を取り外した状態を示す側面図。
【図１３】本発明の他の実施態様に係る綴じ具の綴じ具本体と手動操作部との接続態様を示す分解斜視図。
【符号の説明】
【００５２】
Ｆ１、Ｆ２…ファイル
１…ファイル本体
２、３…綴じ具
２０、３１…綴じ具本体
２４、３５…手動操作部
【図１】
2007007913.tif 000003
【図２】
2007007913.tif 000004
【図３】
2007007913.tif 000005
【図４】
2007007913.tif 000006
【図５】
2007007913.tif 000007
【図６】
2007007913.tif 000008
【図７】
2007007913.tif 000009
【図８】
2007007913.tif 000010
【図９】
2007007913.tif 000011
【図１０】
2007007913.tif 000012
【図１１】
2007007913.tif 000013
【図１２】
2007007913.tif 000014
【図１３】
2007007913.tif 000015